(57)【特許請求の範囲】
【請求項１】
隙間の空いた板状の３次元スプリング構造体からなる背当て具本体と、
背当て具本体に内蔵されて強制換気を行う強制換気手段と、
強制換気手段に電源を供給する電源供給手段と、
背当て具本体を背負い式の鞄に装着可能とする装着手段と、
を備え、
装着手段は、
背当て具本体の上端部の中央に形成したバンド通し穴と、
背負い式の鞄の上部に装着された手提げ部と背当て具本体のバンド通し穴に挿通可能なバンドとを有し、
更にバンドに、手提げ部と背当て具本体のバンド通し穴に輪状に挿通した状態でバンドが開かないように着脱自在に止着する止着部を備えたこと、
を特徴とする鞄の背当て具。
【請求項２】
電源供給手段は背当て具本体に装着されていること、
を特徴とする請求項１記載の鞄の背当て具。
【請求項３】
電源供給手段は鞄の内部に収納可能とするか、または鞄の外部に装備可能としたこと、
を特徴とする請求項１記載の鞄の背当て具。
【請求項４】
電源供給手段は鞄の外面に配設可能な太陽光発電手段であること、
を特徴とする請求項１記載の鞄の背当て具。
【請求項５】
強制換気手段の換気能力を調節する換気能力調節手段を備えたこと、
を特徴とする請求項１乃至４の内のいずれか一項記載の鞄の背当て具。
【発明の詳細な説明】
【技術分野】
【０００１】
本発明は鞄の背当て具に係り、とくにランドセル、リュックサックなどの背負い式の鞄の背当て具に関する。
【背景技術】
【０００２】
子供が夏場にランドセルを背負って登下校すると、ランドセルの背当面に当たっている背中が発汗し、衣類が汗でベタ付いて不快感が生じる。この対策として従来、吸水シートを内蔵した汗取りパッドをランドセルの背当部に装着する提案がされている（特許文献１参照）。けれども、従来の汗取りパッドでは汗を吸水できる量に限りがあること、ランドセルの背当面と子供の背中に挟まれているため汗の発散性が悪いことから、夏場や梅雨時のように発汗量が多いときに背中のベタ付きや蒸れを十分に防止することは出来なかった。
【先行技術文献】
【特許文献】
【０００３】
【特許文献１】特開２００９−１４２３１２号
【発明の概要】
【発明が解決しようとする課題】
【０００４】
本発明は上記した従来技術の問題に鑑みなされたもので、汗の発散性がきわめて良好な鞄の背当て具を提供することを、その目的とする。
【課題を解決するための手段】
【０００５】
本発明の請求項１記載の鞄の背当て具では、隙間の空いた板状の３次元スプリング構造体からなる背当て具本体と、背当て具本体に内蔵されて強制換気を行う強制換気手段と、強制換気手段に電源を供給する電源供給手段と、背当て具本体を背負い式の鞄に装着可能とする装着手段と、を備え、装着手段は、背当て具本体の上端部の中央に形成したバンド通し穴と、背負い式の鞄の上部に装着された手提げ部と背当て具本体のバンド通し穴に挿通可能なバンドとを有し、更にバンドに、手提げ部と背当て具本体のバンド通し穴に輪状に挿通した状態でバンドが開かないように着脱自在に止着する止着部を備えたこと、を特徴としている。
本発明の請求項２記載の鞄の背当て具では、電源供給手段は背当て具本体に装着されていること、を特徴としている。
本発明の請求項３記載の鞄の背当て具では、電源供給手段は鞄の内部に収納可能とするか、または鞄の外部に装備可能としたこと、を特徴としている。
本発明の請求項４記載の鞄の背当て具では、電源供給手段は鞄の外面に配設可能な太陽光発電手段であること、を特徴としている。
本発明の請求項５記載の鞄の背当て具では、強制換気手段の換気能力を調節する換気能力調節手段を備えたこと、を特徴としている。
【発明の効果】
【０００６】
本発明に係る鞄の背当て具によれば、背当て具本体を板状の３次元スプリング構造体とするとともに、強制換気手段によりユーザの背中の汗を強制換気により発散させるようにしたので、汗の発散性の極めて高い鞄の背当て具、鞄を実現でき、汗による蒸れやベタツキの不快感を無くすことができる。しかも、クッション性も良好とできる。
また、リュックサックなどの背負い式鞄への着脱も簡単にできる。
【図面の簡単な説明】
【０００７】
【図１】本発明の参考例に係る鞄の背当て具の外観斜視図である。
【図２】図１の鞄の背当て具のＩＩ−ＩＩ’線に沿った断面図である。
【図３】図１の本体部材の部分拡大斜視図である。
【図４】図１の鞄の背当て具の組み立て図である。
【図５】ランドセルの外観斜視図である。
【図６】図１の鞄の背当て具の使用状態を示す説明図である。
【図７】図１の換気ファンの動作説明図である。
【図８】図１の鞄の背当て具の変形例を示す外観斜視図である。
【図９】本発明の一実施例に係るの鞄の背当て具の外観斜視図である（実施例１）。
【図１０】リュックサックの外観斜視図である。
【図１１】図９の鞄の背当て具の使用状態を示す説明図である。
【発明を実施するための最良の形態】
【０００８】
以下、本発明の最良の形態を実施例に基づき説明する。
【０００９】
まず、図１乃至図４を参照して本発明の参考例を説明する。図１は鞄の背当て具の外観斜視図、図２は図１のＩＩ−ＩＩ’線に沿った断面図、図３は図１の本体部材の部分拡大斜視図、図４は図１の鞄の背当て具の組み立て図である。
図１、図２において、１は方形板状の背当て具本体であり、同一形状の２枚の本体部材２、３の周端縁の複数個所、及び後述する換気ファンの周囲近傍の複数個所を電気コードを束ねるのに用いるような結束バンド（図示せず) により結束し一体化することにより形成されている。本体部材２、３は隙間の空いた方形板状の３次元スプリング構造体から成る。３次元スプリング構造体は、例えばゴム弾性の熱可塑性エラストマーを溶融押し出しで連続線条を形成し、次いで溶融状態の線条にループを形成させ、隣りどうしの線条と接触融合させてランダムなループからなる３次元の構造をつくり、次いで、後処理により、より強い疑似架橋点を形成させることで素材の伸長回復性を向上させたもので、剛性弾性を有する網状マットの形態となっている（例えば東洋紡株式会社製、商標名：ブレスエアー、図３参照）。３次元スプリング構造体による本体部材２、３は軽量で高い空隙率による水分の高い発散性を備え、クッション性も良好で或る程度の剛性も併せ持つという特徴を有する。
【００１０】
背当て具本体１の略中央位置には強制換気手段としての換気ファン４が内蔵されており、背当て具本体１の下部には電源供給手段としての電源ＢＯＸ５が図示しない結束バンドにより装着されている。換気ファン４の吹き出し側である前面及び吸い込み側である後面と背当て具本体１の外面との間には、空気が出入り可能な距離Ｌ１、Ｌ２（図７参照）だけ空けられている（Ｌ１、Ｌ２は同一でも異なっていても良い）。換気ファン４は電源コード６、７により電源ＢＯＸ５と接続されていてる。電源ＢＯＸ５には図示しない電池、電源スイッチのほか、換気ファン４への供給電源電圧を切り替えることで換気ファン４の回転速度を変え、換気能力を変える換気能力調節部が装備されている。なお、換気ファン４の吹き出し側である前面及び吸い込み側である後面に、図示しない柵、網などを設けて、３次元スプリング構造体の線状がファンに当たるのを防止すると良い。
【００１１】
背当て具本体１の上端部の左右２箇所にはベルト通し穴８、９が刻設されており、背負い式鞄の肩掛けベルトを挿脱自在に挿通可能になっている。背当て具本体１、換気ファン４、電源ＢＯＸ５、ベルト通し穴８、９により、本実施例の鞄の背当て具１０が構成されている。
図４に鞄の背当て具１０の組み立て方法を示す。３次元スプリング構造を持ち方形板状に形成された２枚の本体部材２、３の上端部の左右の同じ位置にベルト通し穴８ａと９ａ、８ｂと９ｂを刻設し、略中央部分に換気ファン４を挟み込むようにして２枚の本体部材２、３を合わせ、図示しない結束バンドにより２枚の本体部材２、３の周端縁の複数個所、及び換気ファン４の周囲近傍の複数個所を結束バンドにより結束し一体化し（結束バンドは３次元スプリング構造体の隙間に通して結束する。）、背当て具本体１を形成する。
この際、換気ファン４の電源コード６を２枚の本体部材２、３の間を通して背当て具本体１の下方へ延設し、先端が背当て具本体１の下端から少し外側に出るようにしておく。次に、電源コード６を電源ＢＯＸ５に接続するとともに電源ＢＯＸ５を背当て具本体１の下部に図示しない結束バンドにより装着する。ベルト通し穴８ａと８ｂによりベルト通し穴８、ベルト通し穴９ａと９ｂによりベルト通し穴９が構成される。
【００１２】
次に、図５乃至図７を参照して上記した鞄の背当て具１０の使用方法を説明する。ここでは、背負い式鞄としてランドセルを例に挙げて説明する。
図５に示す如くランドセル２０には背面側に左右一対の肩掛けベルト２１、２２が備えられている。具体的にはランドセル２０の背当て面２３の上端部に左右一対の上側肩掛けベルト２４、２５が装着されており、ランドセル２０の下面２６の両端部に左右一対の下側肩掛けベルト２７、２８が装着されている。上側肩掛けベルト２４、２５にはベルト長さ調節用の多数の穴（図示せず）が刻設されている。また、下側肩掛けベルト２７、２８にはバックル２９、３０が設けられており、上側肩掛けベルト２４、２５をバックル２９、３０に通し、所望の穴位置に留めることにより、所望の長さに調節した状態で上側肩掛けベルト２４、２５を下側肩掛けベルト２７、２８に着脱自在に装着できる。
上側肩掛けベルト２４と下側肩掛けベルト２７により肩掛けベルト２１が構成されており、上側肩掛けベルト２５と下側肩掛けベルト２８により肩掛けベルト２２が構成されている。
【００１３】
夏場の通学時に、子供が発汗でランドセル２０と背中の間が汗でベタついたり、蒸れたりするのを防止したい場合、上側肩掛けベルト２４、２５を下側肩掛けベルト２７、２８から外した状態で、上側肩掛けベルト２４、２５を各々先端から鞄の背当て具１０のベルト通し穴８、９に通し、上側肩掛けベルト２４、２５の上端近くまで鞄の背当て具１０を移動し、ランドセル２０の背当て面２３に当接させる。そして、上側肩掛けベルト２４、２５を下側肩掛けベルト２７、２８に装着し（図６参照）、肩掛けベルト２１、２２を左右の肩に掛けてランドセル２０を背負う。なお、鞄の背当て具１０は換気ファン４の空気の出口側が子供の背中側を向くように装着する。そして、電源ＢＯＸ５の電源スイッチをオンし、換気能力調節部により好みの風力に調節する。
【００１４】
電源ＢＯＸ５からの電源の供給により換気ファン４が稼動し、外部から背当て具本体１を成す３次元スプリング構造体の空隙内部に吸い込まれた空気が換気ファン４から子供の背中に向けて吹き出す（図７の矢印ａとｂ、ｃとｄ参照）。従って、子供は背中に冷涼感を感じて心地良くなり、歩行で子供の背中側が発汗しても、換気ファン４から吹き出す空気によって蒸発し、鞄の背当て具本体１の空隙を通って速やかに汗の水分が外部に発散するので、汗による蒸れやベタツキの不快感が生じない。また、鞄の背当て具本体１は比較的軽量でクッション性を有するため、背中が痛くなったり、ランドセル２０が重くなったりすることもない。更に、方形板状の３次元スプリング構造体からなる背当て具本体１に開けたベルト通し穴８、９に肩掛けベルト２１、２２の上端近くを挿通するようにしたので、ランドセル２０への着脱が容易であるとともに、使用時に鞄の背当て具本体１がランドセル２０の背当て面２３から横ずれし難くなり、歩き難くならない。
なお、発汗量が増減したときは換気能力調節部により換気ファン４の風力を増減して対応することができ、また、涼しくなって発汗が殆ど無くなったときは、電源スイッチをオフし、換気ファン４を停止すれば良い。
【００１５】
この参考例によれば、発汗した子供の背中に強制的に風を送り、汗を蒸発させて、鞄の背当て具本体１の空隙を通して速やかに汗の水分を外部に発散させるので、汗の発散性が極めて高い鞄の背当て具１０を実現でき、汗による蒸れやベタツキの不快感が生じない。また、鞄の背当て具１０は比較的軽量でクッション性を有するため、背中が痛くなったり、ランドセル２０が重くなったりすることもない。更に、方形板状の３次元スプリング構造体からなる背当て具本体１に開けたベルト通し穴８、９に肩掛けベルト２１、２２の上端近くを挿通するようにしたので、ランドセル２０への着脱が容易であるとともに、使用時に鞄の背当て具本体１がランドセル２０の背当て面２３から横ずれし難くなり、歩き難くならない。また、発汗量に応じて風力の調節も可能である。
【００１６】
なお、上記した参考例では、背当て具本体１の上端部の左右両側に一対のバンド通し穴８、９を設けるようにしたが、図８の鞄の背当て具１０Ａに示す如く、背当て具本体１Ａの上端部に左右に延設された１つのバンド通し用の長穴３１を設けるようにしても良く、このバンド通し用の長穴３１の場合も、ランドセル２０の肩掛けベルト２１、２２の上端近くを長穴３１の両端部に挿通するようにすることで、使用時に鞄の背当て具１０Ａがランドセルの背当て面から横ずれし難くなる。
また、電源ＢＯＸを背当て具本体の下部に装着するようにしたが、背当て具本体とは独立させてランドセル内に収納可能とし、電源延長コード等により、ランドセル内の電源ＢＯＸと換気ファンの電源コードを着脱自在に接続可能としても良い。
【実施例１】
【００１７】
次に、図９を参照して本発明の一実施例を説明する。図９は本発明に係る鞄の背当て具の外観斜視図であり、図１と同一の構成部分には同一の符号が付してある。
図９において、１Ｂは背当て具本体であり、図１の背当て具本体１と略同様に構成されている。背当て具本体１Ｂに内蔵された換気ファン４の電源コード６は背当て具本体１Ｂの左右両肩から外部に延長されて先端にメス側プラグ６０が装着されている。また、背当て具本体１Ｂの上端部の中央に１つのバンド通し穴３２が刻設されており、後述する背負い式鞄の上端に設けられた逆Ｕ字状の手提げ部（図１０の符号５３参照）との間にバンド４０を輪状に挿通可能になっている。バンド４０の一端部の表面側と他端部の裏面側には各々止着部としてのオス側面ファスナー４１、メス側面ファスナー４２が装着されており、オス側面ファスナー４１とメス側面ファスナー４２を重ね合わせることで輪状に着脱自在に止着可能になっている。
７０は電源供給手段としてのフレキシブルな太陽電池シートであり、背負い式鞄の外面に配設可能になっている。太陽電池シート７０の上端から外部に電源コード７１が延設されており、先端にオス側プラグ７２が装着されている。また、太陽電池シート７０を鞄に取り付けるための紐部材７３の両端が太陽電池シート７０の上端の左右端部に固着されている。
背当て具本体１Ｂ、バンド通し穴３２、バンド４０、太陽電池シート７０により、本実施例の鞄の背当て具１０Ｂが構成されている。
【００１８】
次に、図１０、図１１を参照して上記した鞄の背当て具１０Ｂの使用方法を説明する。ここでは、背負い式鞄としてリュックサックを例に挙げて説明する。
図１０に示す如くリュックサック５０には背面側に左右一対の肩掛けベルト５１、５２が備えられているほか、上端中央に逆Ｕ字状の手提げ部５３が装着されている。
【００１９】
夏場等での使用時に、使用者が発汗でリュックサック５０と背中の間が汗でベタついたり、蒸れたりするのを防止したい場合、鞄の背当て具本体１Ｂをリュックサック５０の背当て面５４に当接させ、太陽電池シート７０をリュックサック５０の外面に配設し、紐部材７３を手提げ部５３に沿わせた状態で、ベルト４０を手提げ部５３、紐部材７３と背当て具本体１Ｂのバンド通し穴３２に輪状に通し、ベルト４０が開かないようにオス側面ファスナー４１とメス側面ファスナー４２を止着する（図１１参照）。なお、鞄の背当て具１０Ｂは換気ファン４の風の出口側が使用者の背中側を向くように装着する。そして、メス側プラグ６０にオス側プラグ７２を接続し、肩掛けベルト５１、５２を左右の肩に掛けてリュックサック５０を背負う。
【００２０】
太陽電池シート７０からの電源の供給により換気ファン４が稼動し、外部から背当て具本体１Ｂを成す３次元スプリング構造体の空隙内部に吸い込まれた空気が換気ファン４から使用者の背中に向けて吹き出す。従って、使用者は背中に冷涼感を感じて心地良くなり、歩行で背中側が発汗しても、換気ファン４から吹き出す空気によって蒸発し、鞄の背当て具本体１Ｂの空隙を通って速やかに汗の水分が外部に発散するので、汗による蒸れやベタツキの不快感が生じない。また、鞄の背当て具１０Ｂは比較的軽量でクッション性を有するため、背中が痛くなったり、リュックサック５０が重くなったりすることもない。更に、方形板状の３次元スプリング構造体からなる背当て具本体１Ｂにバンド通し穴３２を開け、バンド４０を手提げ部５３、太陽電池シート７０の紐部材７３、バンド通し穴３２に輪状に通して吊持するだけなので、リュックサック５０への背当て具本体１Ｂ、太陽電池シート７０の着脱も容易である。
【００２１】
この実施例によれば、簡単な構成により汗の発散性が極めて高い鞄の背当て具１０Ｂを実現でき、汗による蒸れやベタツキの不快感を無くすことができる。しかも、比較的軽量でクッション性も良好とできる上、手提げ部を有する背負い式鞄への着脱も簡単にできる。また、電源が太陽光発電式なので、電池切れの心配がない。
【００２２】
なお、上記した図９の実施例において、太陽電池シートと換気ファンの間に、電源スイッチ、換気能力調節部を含むコントロール手段を介装しても良い。また、換気ファンの電源を図１と同様の電源ＢＯＸとし、背当て具本体の下部に装着し、電源ＢＯＸには換気ファンに給電する二次電池、充電回路などを備え、太陽電池シートの発電電圧により充電回路を通して二次電池を充電するようにしても良い。
【産業上の利用可能性】
【００２３】
本発明は、ランドセル、リュックサックなどの背負い式鞄の背当て具に適用可能である。
【符号の説明】
【００２４】
１Ｂ  背当て具本体
２、３  本体部材
４  換気ファン
５  電源ＢＯＸ
１０Ｂ  鞄の背当て具
５１、５２  肩掛けベルト
５４  背当て面
３２  バンド通し穴
４０  バンド
４１  オス側面ファスナー
４２  メス側面ファスナー
５０  リュックサック
５３  手提げ部
７０  太陽電池シート
７３  紐部材
【要約】
【課題】  汗の発散性が良い鞄の背当て具を提供する。
【解決手段】  隙間の空いた方形板状の３次元スプリング構造体により背当て具本体１を形成する。背当て具本体１の中央部分に換気ファン４を内蔵させ、下部に電源ＢＯＸ５を装備させる。背当て具本体１の上端部の左右２箇所にベルト通し穴８、９を刻設し、ランドセル２０の肩掛けベルト２１、２２を挿脱自在に挿通可能とする。上側肩掛けベルト２４、２５を下側肩掛けベルト２７、２８から外した状態で、上側肩掛けベルト２４、２５を各々鞄の背当て具１０のベルト通し穴８、９に通し、上側肩掛けベルト２４、２５の上端近くまで鞄の背当て具１０を移動し、ランドセル２０の背当て面２３に当接させる。そして、上側肩掛けベルト２４、２５を下側肩掛けベルト２７、２８に装着する。
【選択図】      図６【図１】
0005770898.tif 000002
【図２】
0005770898.tif 000003
【図３】
0005770898.tif 000004
【図４】
0005770898.tif 000005
【図５】
0005770898.tif 000006
【図６】
0005770898.tif 000007
【図７】
0005770898.tif 000008
【図８】
0005770898.tif 000009
【図９】
0005770898.tif 000010
【図１０】
0005770898.tif 000011
【図１１】
0005770898.tif 000012